(57)【要約】【課題】レンズ鏡枠を構成する部材同士を結合する構造を、部材の歪みが生じにくく、かつ耐衝撃性が高いものとする。【解決手段】本発明は、第１の部材及び第２の部材が結合される結合構造を有してなるレンズ鏡枠であって、前記第１の部材に形成された第１ネジ穴、前記第１ネジ穴に螺合する第１ネジ、前記第１の部材の前記第１ネジ穴から離間した位置に形成された第２ネジ穴、及び前記第２ネジ穴に螺合する第２ネジ、を有し、前記第１ネジは、前記第１ネジ穴に螺合することによって前記第２の部材を前記第１の部材に締結し、前記第２ネジは、前記第２ネジ穴に螺合した状態において、前記第２の部材を、頭部と前記第１の部材との間に軸方向に所定の隙間を有して挟み込むように、頭部と前記第１の部材との間の距離が定められている。【選択図】図８
2013235071.tif 000002
【特許請求の範囲】
【請求項１】
第１の部材及び第２の部材が結合される結合構造を有してなるレンズ鏡枠であって、
前記第１の部材に形成された第１ネジ穴、
前記第１ネジ穴に螺合する第１ネジ、
前記第１の部材の前記第１ネジ穴から離間した位置に形成された第２ネジ穴、及び
前記第２ネジ穴に螺合する第２ネジ、
を有し、
前記第１ネジは、前記第１ネジ穴に螺合することによって前記第２の部材を前記第１の部材に締結し、
前記第２ネジは、前記第２ネジ穴に螺合した状態において、前記第２の部材を、頭部と前記第１の部材との間に軸方向に所定の隙間を有して挟み込むように、頭部と前記第１の部材との間の距離が定められている
ことを特徴とするレンズ鏡枠。
【請求項２】
前記第１の部材の前記第２ネジ穴の周囲には、所定の高さのボスが形成されており、
前記ボスの高さによって、前記第２ネジが前記第２ネジ穴に螺合した状態における、前記第２ネジの頭部と前記第１の部材との間の距離が定められる
ことを特徴とする請求項１に記載のレンズ鏡枠。
【請求項３】
前記第２の部材は、前記ボスに嵌合する嵌合孔を有し、
前記ボスに前記嵌合孔が嵌合することにより、前記第１の部材と前記第２の部材との間の位置決めが成される
ことを特徴とする請求項２に記載のレンズ鏡枠。
【発明の詳細な説明】
【技術分野】
【０００１】
本発明は、第１の部材及び第２の部材が結合される結合構造を有してなるレンズ鏡枠に関する。
【背景技術】
【０００２】
撮像装置用のレンズを保持するレンズ鏡枠は、複数の枠部材や、シャッター、絞り及びＮＤフィルタのうちの少なくとも一つを駆動するように構成された一つ又は複数の機構部等が組み合わされて構成されている。例えば、特開２０１１−１０２８３６号公報には、固定された枠部材に、第１レンズ群を保持する枠部材や可変絞り及びＮＤフィルタを駆動する機構部等が結合されている。
【０００３】
レンズ鏡枠において枠部材や機構部を結合する方法としては、ネジを用いて締結する方法や、弾性を用いて嵌め込む構造によって係合させる方法が考えられる。特開２０１１−１０２８３６号公報では、第１レンズ群を保持する枠部材は、３本のネジによって他の枠部材と締結されている。
【先行技術文献】
【特許文献】
【０００４】
【特許文献１】特開２０１１−１０２８３６号公報
【発明の概要】
【発明が解決しようとする課題】
【０００５】
例えば、レンズ鏡枠を構成する部材同士を複数のネジ締結によって結合する場合、両者が接する部位の形状のばらつきによっては、これらの部材のいずれか、もしくは双方が歪んでしまう可能性がある。枠部材が歪んでしまう場合には、保持するレンズの歪みや光軸の傾きが生じたり、レンズの駆動が滑らかに行えなくなるといった不具合が生じる。また、機構部が歪んでしまう場合には、機構部が動作しなくなったり、光軸に対する絞りの中心の位置ずれが生じてしまうといった不具合が生じる。レンズ鏡枠を構成する部材同士を嵌合によって結合する場合も、同様に、部材に歪みを生じさせる可能性がある。
【０００６】
部材同士の結合によって生じる歪みを防止又は抑制する方法としては、例えばネジによる締結を１ヶ所のみにおいて行うことによって、一方の部材の形状のばらつきが他方の部材の形状の変化に及ぼす影響を抑制する方法が考えられる。
【０００７】
しかし、１ヶ所のみのネジ締結により部材同士を結合する場合、部材同士を結合する位置の精度が悪化したり、落下等によりレンズ鏡枠に過大な衝撃力が与えられた際にネジ締結部に応力が集中して変形や損傷が生じることが考えられる。
【０００８】
本発明は、上述した点に鑑みてなされたものであって、レンズ鏡枠を構成する部材同士を結合する構造を、部材の歪みが生じにくく、かつ耐衝撃性が高いものとすることを目的とする。
【課題を解決するための手段】
【０００９】
本発明の一態様のレンズ鏡枠は、第１の部材及び第２の部材が結合される結合構造を有してなるレンズ鏡枠であって、前記第１の部材に形成された第１ネジ穴、前記第１ネジ穴に螺合する第１ネジ、前記第１の部材の前記第１ネジ穴から離間した位置に形成された第２ネジ穴、及び前記第２ネジ穴に螺合する第２ネジ、を有し、前記第１ネジは、前記第１ネジ穴に螺合することによって前記第２の部材を前記第１の部材に締結し、前記第２ネジは、前記第２ネジ穴に螺合した状態において、前記第２の部材を、頭部と前記第１の部材との間に軸方向に所定の隙間を有して挟み込むように、頭部と前記第１の部材との間の距離が定められている。
【発明の効果】
【００１０】
本発明によれば、レンズ鏡枠を構成する部材同士を、部材の歪みが生じにくく、かつ高い耐衝撃性を有して結合することができる。
【図面の簡単な説明】
【００１１】
【図１】レンズ鏡枠を備えたカメラの前面側を示す斜視図である。
【図２】レンズ鏡枠の背面側を示す斜視図である。
【図３】レンズ鏡枠の背面図である。
【図４】絞り駆動機構部及びシャッター駆動機構部が結合された状態の第１移動枠の斜視図である。
【図５】絞り駆動機構部及びシャッター駆動機構部が結合された状態の第１移動枠の上面図である。
【図６】第１移動枠を図５のVI-VI断面で切断した斜視図である。
【図７】第１移動枠の斜視図である。
【図８】第１移動枠と絞り駆動機構部との結合構造を模式的に示した図である。
【発明を実施するための形態】
【００１２】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
本実施形態は、一般にデジタルカメラやビデオカメラ等の撮像機能を備えた電子機器に配設されるレンズ鏡枠に本発明を適用したものである。本実施形態では一例として、図１及び２に示すように、レンズ鏡枠１は、ＣＣＤやＣＭＯＳセンサ等の撮像素子２を有してなるカメラ１０１内に配設されている。
【００１４】
カメラ１０１は、本実施形態では一例として、箱形状の筐体１０２内に、レンズ鏡枠１、制御装置１０３、及び電源電池を収容する図示しない電池収容室を有して構成されている。制御装置１０３は、演算装置（ＣＰＵ）、記憶装置（ＲＡＭ）、補助記憶装置、入出力装置及び電力制御装置等を具備して構成されており、カメラ１０１の動作を、所定のプログラムに基づいて制御する構成を有している。レンズ鏡枠１、制御装置１０３及び電源電池は、電気的に接続される。
【００１５】
制御装置１０３は、撮像素子２の動作の制御、及び撮像素子２から出力される信号に基づく画像の生成、が可能に構成されている。また、制御装置１０３は、レンズ鏡枠１が備える電動モータ、電磁ソレノイド等のアクチュエータや、フォトインタラプタ、ホール素子等のセンサに電気的に接続されている。
【００１６】
レンズ鏡枠１が備えるアクチュエータの数や形態は特に限定されるものではないが、アクチュエータは、レンズ鏡枠１が保持するレンズや撮像素子２を移動させるためのものや、絞り、シャッター、ＮＤフィルタ等を駆動するためのもの等、レンズ鏡枠１の仕様に応じて適宜に設けられる。センサは、これらのアクチュエータの動作を制御するために配設されるものである。
【００１７】
カメラ１０１の筐体１０２の前面には、内部に配設されたレンズ鏡枠１の光軸が通過する開口部１０２ａや閃光発光装置１０４等が設けられている。本実施形態では、開口部１０２ａは、透明なガラスが設けられている。なお、カメラ１０１は、レンズ鏡枠１の非撮影時に開口部１０２ａを遮蔽するバリア装置を有する形態であってもよい。
【００１８】
筐体１０２の上面部にはレリーズスイッチ１０５、電源操作スイッチ１０６等の操作部材が配設されている。また、図示しないが筐体１０２の側面部又は底面部には電池収容室を開閉するための蓋が設けられている。
【００１９】
また、筐体１０２の背面部には、例えばレバースイッチ、ダイヤルスイッチ、ボタンスイッチ、タッチセンサ等の、カメラ１０１の動作指示を使用者が入力する入力するための操作部材が設けられている。また、筐体１０２の背面には、液晶表示装置又はＥＬ表示装置等からなり画像を表示し出力する画像表示装置が設けられている。
【００２０】
レンズ鏡枠１の構成について以下に説明する。本実施形態では一例として、レンズ鏡枠１は、被写体像を結像するためのレンズ等の撮像光学系部材と撮像素子２を保持するように構成されている。なお、レンズ鏡枠１は、撮像素子２を保持しない形態であってもよい。また、レンズ鏡枠１は、カメラ１０１に対して着脱可能な形態であってもよい。
【００２１】
図２に示すように、レンズ鏡枠１が保持する撮像光学系部材は、一例としてプリズム３を含んでおり、プリズム３によって光軸を屈曲させる、いわゆる光路反射型、折り曲げ光学系、又は屈曲光学系等と称される形態を有している。本実施形態のレンズ鏡枠１ではカメラ１０１の被写体に面する側（前方）から入射する光を、プリズム３によって略９０度屈曲させる構成を有する。
【００２２】
以下の説明では、撮像光学系部材において、被写体からプリズム３に入射し、プリズム３の反射面に至るまでの光軸を第１光軸Ｏ１と称し、プリズム３の反射面から撮像素子２に至る光軸を第２光軸Ｏ２と称するものとする。
【００２３】
また、本実施形態の撮像光学系部材は、第２光軸Ｏ２に沿って移動することにより、撮影倍率の変更及び合焦距離の変更を実現するための３つのレンズ群である、第１移動レンズ群４、第２移動レンズ群５及び第３レンズ群６を有して構成されている。なお、撮像光学系部材の形態は本実施形態に限られるものではなく、プリズムを有さない形態のものであってもよい。
【００２４】
レンズ鏡枠１は、固定枠１０、固定レンズ保持枠２０、第１移動枠３０、第２移動枠５０、第３移動枠５５、絞り駆動機構部６０、シャッター駆動機構部７０及び撮像素子移動機構部８０を含んで構成されている。
【００２５】
固定枠１０は、レンズ鏡枠１を構成する他の部材を所定の位置に保持する基部となる部材である。固定枠１０は、図示しない保持機構によって、カメラ１０１の筐体１０２に対して所定の位置に保持されるように構成されている。
【００２６】
固定レンズ保持枠２０は、撮像光学系部材の物体側に配設される固定レンズ群を保持する枠状の部材である。固定レンズ群には、プリズム３が含まれている。固定レンズ枠２０は、固定枠１０に対して所定の位置に固定されている。
【００２７】
第１移動枠３０は、詳しくは後述するが、第１移動レンズ群４を保持し、第２光軸Ｏ２に沿って移動可能に構成された枠部材である。また、第１移動枠３０には、絞り駆動機構部６０及びシャッター駆動機構部７０が結合されており、絞り駆動機構部６０及びシャッター駆動機構部７０は、第１移動枠３０とともに第２光軸Ｏ２に沿って移動する。
【００２８】
絞り駆動機構部６０は、複数の絞り羽根を駆動することによって、第２光軸Ｏ２に沿う光束が通過する光路の口径を段階的又は連続的に変化させることが可能に構成された機構を備える機構部である。絞り駆動機構部６０は、固定枠１０内に配設された可撓性を有するフレキシブルプリント回路基板６９を介して制御装置１０３に電気的に接続される。
【００２９】
また、シャッター駆動機構部７０は、第２光軸Ｏ２に沿う光束が通過する光路を開閉し、撮像素子２の露光時間を制御可能に構成された機構を備える機構部である。シャッター駆動機構部７０は、フレキシブルプリント回路基板６９を介して制御装置１０３に電気的に接続される。本実施形態では、一例として、シャッター駆動機構部７０は、光路上にＮＤフィルタを進退させ、撮像素子２に入射する光量を変化させることが可能に構成された機構も備えている。
【００３０】
絞り駆動機構部６０及びシャッター駆動機構部７０は、後述する構造によって、それぞれ第１移動枠３０の物体側及び像側に結合されている。
【００３１】
第２移動枠５０は、第２移動レンズ群５を保持し、第２光軸Ｏ２に沿って移動可能に構成された枠部材である。また、第３移動枠５５は、第３レンズ群６を保持し、第２光軸Ｏ２に沿って移動可能に構成された枠部材である。
【００３２】
撮像素子移動機構部８０は、撮像素子２を第２光軸Ｏ２に直交する平面に沿って移動可能に保持する機構部である。撮像素子移動機構部８０は、例えば制御装置１０３に設けられた加速度センサやジャイロスコープ等によって検出されたレンズ鏡枠１の移動に応じて撮像素子２を移動させることによって露光中の像のブレを防止する、ブレ補正機能を実現するためのものである。
【００３３】
撮像素子移動機構部８０の構成は、一般にイメージセンサシフト方式のブレ補正機構と称される周知のものと同様であり、詳細な説明は省略するものとする。なお、レンズ鏡枠１は、撮像素子移動機構部８０を備えない形態であってもよい。また、レンズ鏡枠１は、レンズを移動させることによって露光中の像のブレを防止する、いわゆるレンズシフト方式のブレ補正機構を備える形態であってもよい。
【００３４】
以下に、第１移動枠３０の詳細な構成について説明する。
【００３５】
第１の部材である第１移動枠３０は、固定枠１０に固定された直線状の円柱形状を有する案内軸１１及び回動規制軸１２に沿って摺動可能に構成されている。図３に示すように、案内軸１１及び回動規制軸１２は、第２光軸Ｏ２に略平行に固定されている。また、案内軸１１及び回動規制軸１２は、第２光軸Ｏ２を挟むように配設されている。
【００３６】
図４及び図５に示すように、第１移動枠３０には、案内軸１１の外周に所定の隙間を有して嵌合する貫通孔である摺動孔３１が形成されている。摺動孔３１と案内軸１１との嵌合は、いわゆるすきま嵌めの状態である。摺動孔３１と案内軸１１との嵌合によって、案内軸１１に対する第１移動枠３０の径方向の移動、及び案内軸１１に直交する軸周りの倒れ方向の移動が規制される。言い換えれば、摺動孔３１と案内軸１１との嵌合によって、第１移動枠３０は、案内軸１１に対して、案内軸１１の軸方向の移動、及び案内軸１１周りの回動が可能な状態となっている。
【００３７】
本実施形態では、摺動孔３１は、スリーブ状に第１移動枠３０から突出する筒形状部に設けられた孔である。このように摺動孔３１と案内軸１１との嵌合長を長くとることによって、案内軸１１に対する第１移動枠３０の倒れ方向の遊びを少なくすることができる。
【００３８】
また、第１移動枠３０には、回動規制軸１２の外周に所定の隙間を有して嵌合する貫通孔である挟持部３２が形成されている。挟持部３２と回転規制軸１２との嵌合は、いわゆるすきま嵌めの状態である。
【００３９】
挟持部３２は、挟持部３２と回動規制軸１２との嵌合によって、第１移動枠３０の案内軸１１に対する案内軸１１周りの回動のみを規制するように構成されている。具体的には、図５に示すように、挟持部３２は、回動規制軸１２を所定の隙間を有して挟み込む平行な２平面を有する、いわゆる長孔と称される形状を有している。そして、挟持部３２は、回動規制軸１２を挟み込む２平面が、摺動孔３１の径方向に沿うように設けられている。
【００４０】
また、挟持部３２と回動規制軸１２との嵌合長は、摺動孔３１と案内軸１１との嵌合長よりも短く、挟持部３２と回動規制軸１２との嵌合は、回動規制軸１２に対する第１移動枠３０の倒れを比較的大きく許容するように構成されている。
【００４１】
本実施形態のように、挟持部３２と回動規制軸１２との嵌合によって、第１移動枠３０の案内軸１１に対する案内軸１１周りの回動のみが規制されるように構成することにより、案内軸１１と回動規制軸１２との間の相対的な距離や角度にばらつきがあった場合であっても、第１移動枠３０を案内軸１１に沿って滑らかに摺動させることが可能となる。
【００４２】
なお、挟持部３２の形状は、本実施形態の長孔状に限られるものではなく、回動規制軸１２を所定の隙間を有して挟み込む平行な２平面を有する形状であればよい。例えば、挟持部３２は、第２光軸Ｏ２に沿う方向から見てＵ字状となる溝形状であってもよい。
【００４３】
以上のように、第２光軸Ｏ２に沿って移動可能に配設された第１移動枠３０は、電動モータ４１を含む駆動部４０によって駆動される。
【００４４】
駆動部４０は、案内軸１１の近傍において、案内軸１１に略平行に配設され、軸周りに回動可能なスクリュー４２、スクリュー４２を回動させる電動モータ４１、スクリュー４２に螺合するナット４３及び第１移動枠３０をナット４３に向かって付勢するコイルバネ４４を含んで構成されている。一方、第１移動枠３０には、摺動孔３１の近傍に、ナット４３が係合するナット係合部３３及びコイルバネ４４が係止されるバネ係止部３４が設けられている。
【００４５】
ナット４３は、スクリュー４２の軸周りの回動が規制されており、スクリュー４２の回動に伴って軸方向に移動するように構成されている。ナット４３は、第１移動枠３０のナット係合部３３に当接し、第１移動枠３０をスクリュー４２の軸に沿った一方向に押すことが可能に構成されている。本実施形態では一例として、ナット４３は、図２及び図３における上下方向に移動可能であって、下方から第１移動枠３０のナット係合部３３に当接し、上方に向かって第１移動枠３０を押すことが可能に構成されている。
【００４６】
コイルバネ４４は、いわゆる引っ張りコイルバネであり、一端が第１移動枠３０のバネ係止部３４に係止されており、他端が固定枠１０に係止されている。コイルバネ４４は、常に第１移動枠３０をナット４３に向かって付勢するように配設されている。本実施形態では一例として、コイルバネ４４は、第１移動枠３０の位置に関わらず、図２及び図３における下方向に向かって常に第１移動枠３０を付勢する力を発生するように配設されている。
【００４７】
言い換えれば、ナット４３は、電動モータ４１が発生する駆動力によって第２光軸Ｏ２に沿って移動可能であり、かつ第１移動枠３０を第２光軸Ｏ２に沿って物体側に向かって押すことが可能に構成されている。そして、第１移動枠３０は、コイルバネ４４によって、第２光軸Ｏ２に沿って像側に付勢されている。このコイルバネ４４の付勢力によって、ナット４３とスクリュー４２との間のバックラッシが除去され、かつ第１移動枠３０がナット４３の移動に追従する。
【００４８】
なお、コイルバネ４４の付勢力は、少なくとも重力中におけるレンズ鏡枠１の姿勢の変化にかかわらず、第１移動枠３０とナット４３との当接が保たれる強さを有する。
【００４９】
以上のような駆動部４０によって駆動される第１移動枠３０は、コイルバネ４４の付勢力とは反対方向に向かって該付勢力よりも強い力が加えられた場合には、ナット４３から離間する方向に移動可能である。本実施形態では、第１移動枠３０に、物体側に向かう方向（図２及び図３における上方向）に向かってコイルバネ４４の付勢力よりも強い力が加えられた場合に、第１移動枠３０は物体側に向かって移動する。このような、第１移動枠３０とナット４３とを離間させるような強い力は、例えばカメラ１０１が落下し着地した場合等の、レンズ鏡枠１に衝撃が与えられた場合に生じる。
【００５０】
次に、第１の部材である第１移動枠３０と、第２の部材である絞り駆動機構部６０及びシャッター駆動機構部７０とを結合する構造について説明する。図４に示すように、第１移動枠３０の物体側の所定の位置に絞り駆動機構部６０が固定されており、第１移動枠３０の像側の所定の位置にシャッター駆動機構部７０が固定されている。
【００５１】
まず、絞り駆動機構部６０と第１移動枠３０との結合構造について説明する。図７に示すように、第１移動枠３０の物体側の面上には、２つの第１ネジ穴３５及び第２ネジ穴３６と凹部３７が形成されている。図８は、絞り駆動機構部６０と第１移動枠３０の物体側の面上に形成された第１ネジ穴３５、第２ネジ穴３６、凹部３７を模式的に示した図である。
【００５２】
第１ネジ穴３５及び第２ネジ穴３６は、軸方向が第２光軸Ｏ２と略平行となるように設けられている。すなわち、第１ネジ穴３５及び第２ネジ穴３６は、摺動孔３１と略平行に設けられている。第１ネジ穴３５及び第２ネジ穴３６は、できるだけ離間した位置に配設されることが好ましい。本実施形態では、第１ネジ穴３５及び第２ネジ穴３６は、第２光軸Ｏ２を間に挟むような位置に配設されている。また、絞り駆動機構部６０には、第１ネジ穴３５及び第２ネジ穴３６間と略同一の距離だけ離間して第２光軸Ｏ２と略平行に穿設された貫通孔６１及び嵌合孔６２が形成されている。
【００５３】
第１ネジ穴３５は、略円形状であり周囲よりも突出した平面部である着座面３５ａ内に形成されている。言い換えれば、第１ネジ穴３５の周囲に、略環状の着座面３５ａが周囲よりも突出して形成されている。着座面３５ａは、第２光軸Ｏ２と略直交する平面であり、絞り駆動機構部６０が当接するように設けられている。
【００５４】
他方の第２ネジ穴３６は、略円形状であり周囲よりも突出した平面部である座面３６ａ内に形成されている。座面３６ａは、第２光軸Ｏ２と略直交する平面である。座面３６ａには、第２ネジ穴３６を略中心とした円筒形状であり、第２光軸Ｏ２と略平行に突出したボス３６ｂが設けられている。言い換えれば、ボス３６ｂ内に略軸状に第２ネジ穴３６が形成されている。
【００５５】
ボス３６ｂは、絞り駆動機構部６０に穿設された嵌合孔６２内に、所定の隙間を有して嵌合する外径を有している。そして、図８に示すように、ボス３６ｂは、座面３６ａから高さＨだけ突出している。ボス３６ｂの高さＨは、ボス３６ｂと絞り駆動機構部６０の嵌合孔６２とが嵌合した状態において、ボス３６ｂの先端が絞り駆動機構部６０よりも所定の高さだけ突出するように定められている。言い換えれば、絞り駆動機構部６０の嵌合孔６２が形成された部分の厚さＴの寸法よりも、ボス３６ｂの高さＨの寸法の方が大きくなる。
【００５６】
なお、ボス３６ｂの内面、より具体的にはボス３６ｂの座面３６ａよりも突出した部分の内面は、第２ネジ穴３６に螺合される第２ネジ３９と干渉しない内径を有していることが好ましい。これは、第２ネジ穴３６に第２ネジが螺合された場合に、ボス３６の外形が変形しないようにするためである。
【００５７】
凹部３７は、絞り駆動機構部６０の嵌合孔６２がボス３６ｂに嵌合した状態において、絞り駆動機構部６０のボス３６ｂ周りの回動を規制するための部位である。具体的には、絞り駆動機構部６０には、像側に向かって突出するように設けられた略円柱状の凸部６３と係合するように形成されている。そして、第１移動枠３０の凹部３７は、絞り駆動機構部６０の嵌合孔６２がボス３６ｂに嵌合した状態において、内部に該凸部６３が嵌合するように形成されている。
【００５８】
凹部３７は、ボス３６ｂの径方向を長手方向としたいわゆる長孔と称される形状を有しており、絞り駆動機構部６０の第１移動枠３０に対するボス３６ｂ周りの回動のみを規制するように、凸部６３を所定の隙間を有して挟み込む平行な２平面を有している。なお、第１移動枠３０の凹部３７と、絞り駆動機構部６０の凸部６３の凹凸の関係は、本実施形態と逆であってもよい。
【００５９】
第１ネジ穴３５に螺合される第１ネジ３８の頭部は、絞り駆動機構部６０の貫通孔６１の内径よりも大きい外形を有している。また、第２ネジ穴３６に螺合される第２ネジ３９の頭部は、ボス３６ｂの外形よりも大きい外形を有している。すなわち、第２ネジ３９の頭部は、絞り駆動機構部６０の嵌合孔６２の内径よりも大きい外形を有している。
【００６０】
以上のような構成においては、絞り駆動機構部６０の嵌合孔６２及び凸部６３と、第１移動枠３０のボス３６ｂ及び凹部３７をそれぞれ嵌合させることによって、絞り駆動機構部６０の第１移動枠３０に対する位置が所定の位置に定められる。
【００６１】
この絞り駆動機構部６０が第１移動枠３０に対して位置決めされた状態において、第１移動枠３０に形成された第１ネジ穴３５と、絞り駆動機構部６０に形成された貫通孔６１とは、第２光軸Ｏ２に沿う方向から見て略同一の位置となるように設けられている。
【００６２】
そして、貫通孔６１を通して、第１ネジ３８を第１ネジ穴３５に螺合することによって、絞り駆動機構部６０は、第１移動枠３０の着座面３５ａと第１ネジ３８との頭部との間において締結される。
【００６３】
また、上述したように、絞り駆動機構部６０の嵌合孔６２が形成された部分の厚さＴは、ボス３６ｂの高さＨの寸法よりも小さい。このため、絞り駆動機構部６０が第１移動枠３０に対して位置決めされた状態において、ボス３６ｂの先端は絞り駆動機構部６０よりも物体側に所定の高さだけ突出する。よって、第２ネジ穴３６に第２ネジ３９を螺合した場合には、絞り駆動機構部６０の嵌合孔６２が形成された部位は、第１移動枠３０の座面３６と第２ネジ３９との頭部との間において締結されるのではなく、第１移動枠３０の座面３６と第２ネジ３９との頭部との間に所定の隙間を有した状態で挟み込まれる。
【００６４】
以上のような絞り駆動機構部６０と第１移動枠３０との結合構造においては、１つの第１ネジ３８によって、絞り駆動機構部６０と第１移動枠３０とが締結される。言い換えれば、絞り駆動機構部６０は、第１移動枠３０に対して第２光軸Ｏ２方向に撓むことが可能な片持ち梁状となるように第１ネジ３８によって締結されている。片持ち梁状の絞り駆動機構部６０の先端側は、第２ネジ３９の頭部と座面３６ａによって第２光軸Ｏ２方向に所定の隙間を有して挟み込まれていることから、衝撃力が加えられた場合の絞り駆動機構部６０の変形量は所定の隙間の寸法内に抑制される。
【００６５】
したがって、本実施形態によれば、レンズ鏡枠１を構成する部材同士を結合する構造において、１つの第１ネジ３８によって絞り駆動機構部６０と第１移動枠３０とを締結することによって、一方の部材の形状のばらつきが他方の部材の形状の変化に及ぼす影響を抑制することができる。例えば、従来では、複数のネジによって薄く変形しやすい絞り駆動機構部を枠部材に締結した場合、絞り駆動機構部が枠部材の形状に倣って歪んでしまい、絞り駆動機構部の動作不良を引き起こしてしまう可能性がある。また、絞り駆動機構部の方が枠部材よりも剛性が高い場合には、枠部材が歪み、案内軸に沿った摺動の抵抗が増大してしまう可能性がある。しかし、本実施形態では、１つの第１ネジ３８によって絞り駆動機構部６０と第１移動枠３０とを締結していることから、締結により生じる絞り駆動機構部６０及び第１移動枠３０の歪みを抑制もしくは無くすことが可能である。
【００６６】
また、従来では、１つのネジによる締結によって絞り駆動機構部を枠部材に締結した場合、衝撃力加えられた場合に単一の締結部に応力が集中することから、締結部に変形や損傷が生じてしまう可能性がある。しかし、本実施形態では、第２ネジ３９の頭部と座面３６ａによって絞り駆動機構部を所定の隙間を有して挟み込むことにより、衝撃力が加えられた場合の絞り駆動機構部６０の変形量を所定の範囲内に抑制し、第１ネジ３８による締結部にかかる応力を抑制することができる。
【００６７】
以上に説明したように、本実施形態の絞り駆動機構部６０と第１移動枠３０との結合構造は、両部材の歪みが生じにくく、かつ耐衝撃性が高い。
【００６８】
また、本実施形態では、第１移動枠３０のボス３６ｂは、第２ネジ３９の頭部と座面３６ａとの距離を定める機能だけでなく、第１移動枠３０と絞り駆動機構部６０との位置を定める機能も兼ねている。このように、ボス３６ｂに複数の機能を持たせることにより、レンズ鏡枠１において、絞り駆動機構部６０と第１移動枠３０とを位置決めして結合するために必要な構造が占有する体積を小さくすることができ、レンズ鏡枠１を小型化することが可能となる。
【００６９】
第１移動枠３０とシャッター駆動機構部７０とを結合する構造は、上述した第１移動枠３０と絞り駆動機構部６０とを結合する構造を第２光軸Ｏ２方向に反転させたものとほぼ同様である。
【００７０】
なお、上述した実施形態は、レンズ鏡枠１内において移動可能に配設された枠部材である第１移動枠３０と、機構部である絞り駆動機構部６０及びシャッター駆動機構部７０との結合構造に本発明を適用したものであるが、本発明はこれに限られるものではない。例えば、本発明は、例えば、固定枠１０と、固定レンズ保持枠２０との結合構造にも適用可能である。この場合、１つの第１ネジによって締結することによって、固定レンズ保持枠２０の歪みを抑制し、プリズム３を含む固定レンズ群の光学的性能が設計値から外れてしまうことを防止することができる。
【００７１】
また、本発明は、固定枠１０が複数の部材が結合されて構成される場合にも適用可能である。この場合、結合に伴って固定枠１０に生じる歪みを抑制することができるため、案内軸１１や回転規制軸１２を精度良く固定することができ、第１移動枠３０を小さな動力で滑らかに駆動することが可能となる。
【００７２】
なお、本発明は、上述した実施形態に限られるものではなく、特許請求の範囲及び明細書全体から読み取れる発明の要旨或いは思想に反しない範囲で適宜変更可能であり、そのような変更を伴うレンズ鏡枠もまた本発明の技術的範囲に含まれるものである。
【００７３】
本発明に係るレンズ鏡枠は、上述の実施形態で説明したカメラに配設される形態に限らず、レンズ交換可能なカメラシステムにおける交換レンズや、録音機器、携帯通信端末、ゲーム機、デジタルメディアプレーヤー、時計、ナビゲーション装置等の電子機器に備えられる撮像装置に配設されるものであってもよいことは言うまでもない。
【産業上の利用可能性】
【００７４】
前述のように、本発明は複数の部材が結合されてなるレンズ鏡枠に対して好適である。
【符号の説明】
【００７５】
１    レンズ鏡枠、
２    撮像素子、
３    プリズム、
４    第１移動レンズ群、
５    第２移動レンズ群、
６    第３レンズ群、
１０    固定枠、
１１    案内軸、
１２    回動規制軸、
２０    固定レンズ保持枠、
３０    第１移動枠（第１の部材）、
３１    摺動孔、
３２    挟持部、
３３    ナット係合部、
３４    バネ係止部、
３５    第１ネジ穴、
３５ａ    着座面、
３６    第２ネジ穴、
３６ａ    座面、
３６ｂ    ボス
３７    凹部、
３８    第１ネジ、
３９    第２ネジ、
４０    駆動部、
４１    電動モータ、
４２    スクリュー、
４３    ナット、
４４    コイルバネ、
５０    第２移動枠、
５５    第３移動枠、
６０    絞り駆動機構部（第２の部材）、
６１    貫通孔、
６２    嵌合孔、
６３    凸部、
６９    フレキシブルプリント回路基板、
７０    シャッター駆動機構部（第２の部材）、
８０    撮像素子移動機構部、
１０１    カメラ、
１０２    筐体、
１０２ａ    開口部、
１０３    制御装置、
１０４    閃光発光装置、
１０５    レリーズスイッチ、
１０６    電源操作スイッチ。
【図１】
2013235071.tif 000003
【図２】
2013235071.tif 000004
【図３】
2013235071.tif 000005
【図４】
2013235071.tif 000006
【図５】
2013235071.tif 000007
【図６】
2013235071.tif 000008
【図７】
2013235071.tif 000009
【図８】
2013235071.tif 000010